【手続補正書】
【提出日】平成27年12月4日(2015.12.4)
【手続補正１】
【補正対象書類名】特許請求の範囲
【補正対象項目名】全文
【補正方法】変更
【補正の内容】
【特許請求の範囲】
【請求項１】
カートリッジが着脱可能な画像形成装置において、
前記カートリッジを支持して前記カートリッジの長手方向と交差する方向へ移動可能で、前記画像形成装置の装置本体の内側に位置する内側位置と、前記カートリッジを着脱可能にするため前記装置本体の外側に位置する外側位置を取り得る支持部材であって、前記支持部材に装着された前記カートリッジが当接することが可能で、前記カートリッジが前記長手方向の一方へ移動するのを規制する第一の規制部と、前記支持部材に装着された前記カートリッジが当接して、前記カートリッジが前記長手方向の他方へ移動するのを規制する第二の規制部と、を有する支持部材と、
前記装置本体に設けられた、前記支持部材が当接して前記支持部材が前記長手方向の一方へ移動するのを規制する第三の規制部と、
前記装置本体に設けられた、前記支持部材が当接して前記支持部材が前記長手方向の他方へ移動するのを規制する第四の規制部と、
を有し、
前記長手方向に関して、前記第一の規制部及び前記第二の規制部は前記支持部材の一端部側で且つ画像形成領域の外側に配置され、前記長手方向に関して、前記第三の規制部及び前記第四の規制部は前記装置本体の一端部側で且つ画像形成領域の外側に配置されていることを特徴とする画像形成装置。
【請求項２】
前記装置本体は、前記支持部材を前記内側位置と前記外側位置とを移動可能に支持するガイド部材を有し、前記第四の規制部は前記ガイド部材に設けられることを特徴とする請求項１に記載の画像形成装置。
【請求項３】
前記支持部材は、前記カートリッジが装着される装着部を有し、
前記第二の規制部は、前記装着部に設けられた前記長手方向に垂直な方向に凹む凹部に形成されることを特徴とする請求項１又は２に記載の画像形成装置。
【請求項４】
前記支持部材は、前記カートリッジが装着される装着部を有し、
前記第二の規制部は、前記装着部に設けられた前記長手方向に垂直な方向に突出する突起部に形成されることを特徴とする請求項１又は２に記載の画像形成装置。
【請求項５】
前記支持部材は、前記内側位置と前記外側位置との間の移動方向において、複数の前記カートリッジを並べて載置可能であることを特徴とする請求項１乃至４のいずれか一項に記載の画像形成装置。
【請求項６】
前記支持部材は、前記内側位置と前記外側位置との間において、前記装置本体の設置面に対して水平方向、或いは斜め上方、或いは斜め下方へ直線的に移動可能であることを特徴とする請求項１乃至５のいずれか一項に記載の画像形成装置。
【請求項７】
前記支持部材は、前記外側位置において、前記カートリッジを上方に取り出し可能に支持する、及び、前記カートリッジを下方に向かって移動させることによって支持することを特徴とする請求項１乃至６のいずれか一項に記載の画像形成装置。
【請求項８】
カートリッジを支持して前記カートリッジの長手方向と交差する方向へ移動可能で、画像形成装置の装置本体の内側に位置する内側位置と、前記カートリッジを着脱可能にするため前記装置本体の外側に位置する外側位置を取り得る支持部材であって、第一の規制部と、第二の規制部を有する支持部材と、前記装置本体に設けられた、前記支持部材が当接して前記支持部材が前記長手方向の一方へ移動するのを規制する第三の規制部と、前記装置本体に設けられた、前記支持部材が当接して前記支持部材が前記長手方向の他方へ移動するのを規制する第四の規制部と、を有し、第一の規制部、第二の規制部、第三の規制部、及び、第四の規制部の全てが、前記長手方向において一端側で画像形成領域よりも外側に設けられている前記画像形成装置の前記支持部材に着脱可能なカートリッジにおいて、
前記カートリッジが前記支持部材に装着された際に、前記第一の規制部に当接することが可能で、前記カートリッジが前記長手方向の一方へ移動するのが規制される第一の被規制部と、
前記カートリッジが前記支持部材に装着された際に、前記第二の規制部に当接することが可能で、前記カートリッジが前記長手方向の他方へ移動するのが規制される第二の被規制部と、
を有し
前記長手方向に関して、前記第一の被規制部及び前記第二の被規制部は前記カートリッジの一端部側で且つ画像形成領域の外側に配置されていることを特徴とするカートリッジ。
【請求項９】
前記第一の被規制部と前記第二の被規制部は、前記カートリッジの前記長手方向の一端に設けられたカバー部材に設けられることを特徴とする請求項８に記載のカートリッジ。
【請求項１０】
前記第二の被規制部は、前記カバー部材から前記長手方向に垂直な方向に突出する突起部に形成されることを特徴とする請求項９に記載のカートリッジ。
【請求項１１】
前記第二の被規制部は、前記カバー部材の前記長手方向に垂直な方向に凹む凹部に形成されることを特徴とする請求項９に記載のカートリッジ。
【請求項１２】
前記カートリッジは、潜像が形成される像担持体と前記像担持体に形成された潜像を現像剤で現像する現像手段とを備えた一体型のプロセスカートリッジであることを特徴とする請求項８乃至１１のいずれか一項に記載のカートリッジ。
【請求項１３】
前記カートリッジは、潜像が形成される像担持体と前記像担持体に形成された潜像を現像剤で現像する現像手段以外の画像形成プロセス手段とを備えた分離型のプロセスカートリッジであることを特徴とする請求項８乃至１１のいずれか一項に記載のカートリッジ。
【請求項１４】
前記カートリッジは、潜像が形成される像担持体に形成された潜像を現像剤で現像する現像手段と前記潜像を現像するために用いられる現像剤を収納収容している現像剤収納部とを有する現像カートリッジであることを特徴とする請求項８乃至１１のいずれか一項に記載のカートリッジ。
【請求項１５】
前記カートリッジは、潜像が形成される像担持体と前記像担持体に形成された潜像を現像剤で現像する現像手段以外の画像形成プロセス手段とを備えた分離型のプロセスカートリッジ、および、前記像担持体に形成された潜像を現像剤で現像する現像手段と前記潜像を現像するために用いられる現像剤を収納している現像剤収納部とを有する現像カートリッジとの組み合わせであることを特徴とする請求項８乃至１１のいずれか一項に記載のカートリッジ。
【請求項１６】
前記像担持体は電子写真感光体であることを特徴とする請求項１２乃至１５のいずれか一項に記載のカートリッジ。
【請求項１７】
カートリッジを支持して前記カートリッジの長手方向と交差する方向へ移動可能で、画像形成装置の装置本体の内側に位置する内側位置と、前記カートリッジを着脱可能にするため前記装置本体の外側に位置する外側位置を取り得る支持部材であって、
前記支持部材に装着された前記カートリッジが当接することが可能で、前記カートリッジが前記長手方向の一方へ移動するのを規制する第一の規制部と、
前記支持部材に装着された前記カートリッジが当接して、前記カートリッジが前記長手方向の他方へ移動するのを規制する第二の規制部と、
を有し、
前記長手方向に関して、前記第一の規制部及び前記第二の規制部は前記支持部材の一端部側で且つ画像形成領域の外側に配置されていることを特徴とする支持部材。
【請求項１８】
前記装置本体に設けられた第三の規制部に当接することで、前記支持部材が前記長手方向の一方へ移動するのを規制される第三の被規制部と、
前記装置本体に設けられた第四の規制部に当接することで、前記支持部材が前記長手方向の他方へ移動するのを規制される第四の被規制部と、
を有し、
前記長手方向に関して、前記長手方向に関して、前記第三の被規制部及び前記第四の被規制部は前記支持部材の一端部側で且つ画像形成領域の外側に配置されていることを特徴とする請求項１７に記載の支持部材。
【請求項１９】
前記支持部材は複数の前記カートリッジを支持し、前記支持部材は前記支持部材の移動方向に沿って並んで前記複数のカートリッジを支持されることを特徴とする請求項１７又は１８に記載の支持部材。
【請求項２０】
カートリッジを支持して前記カートリッジの長手方向と交差する方向へ移動可能で、画像形成装置の装置本体の内側に位置する内側位置と、前記カートリッジを着脱可能にするため前記装置本体の外側に位置する外側位置を取り得る支持部材であって、
前記装置本体に設けられた第三の規制部に当接することで、前記支持部材が前記長手方向の一方へ移動するのを規制される第三の被規制部と、
前記装置本体に設けられた第四の規制部に当接することで、前記支持部材が前記長手方向の他方へ移動するのを規制される第四の被規制部と、
を有し、
前記長手方向に関して、前記長手方向に関して、前記第三の被規制部及び前記第四の被規制部は前記支持部材の一端部側で且つ画像形成領域の外側に配置されていることを特徴とする支持部材。
【請求項２１】
前記支持部材は複数の前記カートリッジを支持し、前記支持部材は前記支持部材の移動方向に沿って並んで前記複数のカートリッジを支持されることを特徴とする請求項２０に記載の支持部材。
【手続補正２】
【補正対象書類名】明細書
【補正対象項目名】発明の名称
【補正方法】変更
【補正の内容】
【発明の名称】画像形成装置、カートリッジ、及び支持部材
【手続補正３】
【補正対象書類名】明細書
【補正対象項目名】０００１
【補正方法】変更
【補正の内容】
【０００１】
本発明は記録媒体に画像を形成する画像形成装置、カートリッジ、及び支持部材に関する。 
【手続補正４】
【補正対象書類名】明細書
【補正対象項目名】００１７
【補正方法】変更
【補正の内容】
【００１７】
（１）上記の目的を達成するための本発明に係る画像形成装置の代表的な構成として、  カートリッジが着脱可能な画像形成装置において、
前記カートリッジを支持して前記カートリッジの長手方向と交差する方向へ移動可能で、前記画像形成装置の装置本体の内側に位置する内側位置と、前記カートリッジを着脱可能にするため前記装置本体の外側に位置する外側位置を取り得る支持部材であって、前記支持部材に装着された前記カートリッジが当接することが可能で、前記カートリッジが前記長手方向の一方へ移動するのを規制する第一の規制部と、前記支持部材に装着された前記カートリッジが当接して、前記カートリッジが前記長手方向の他方へ移動するのを規制する第二の規制部と、を有する支持部材と、
前記装置本体に設けられた、前記支持部材が当接して前記支持部材が前記長手方向の一方へ移動するのを規制する第三の規制部と、
前記装置本体に設けられた、前記支持部材が当接して前記支持部材が前記長手方向の他方へ移動するのを規制する第四の規制部と、
を有し、
前記長手方向に関して、前記第一の規制部及び前記第二の規制部は前記支持部材の一端部側で且つ画像形成領域の外側に配置され、前記長手方向に関して、前記第三の規制部及び前記第四の規制部は前記装置本体の一端部側で且つ画像形成領域の外側に配置されていることを特徴とする。
（２）カートリッジの代表的な構成として、 カートリッジを支持して前記カートリッジの長手方向と交差する方向へ移動可能で、画像形成装置の装置本体の内側に位置する内側位置と、前記カートリッジを着脱可能にするため前記装置本体の外側に位置する外側位置を取り得る支持部材であって、第一の規制部と、第二の規制部を有する支持部材と、前記装置本体に設けられた、前記支持部材が当接して前記支持部材が前記長手方向の一方へ移動するのを規制する第三の規制部と、前記装置本体に設けられた、前記支持部材が当接して前記支持部材が前記長手方向の他方へ移動するのを規制する第四の規制部と、を有し、第一の規制部、第二の規制部、第三の規制部、及び、第四の規制部の全てが、前記長手方向において一端側で画像形成領域よりも外側に設けられている前記画像形成装置の前記支持部材に着脱可能なカートリッジにおいて、
前記カートリッジが前記支持部材に装着された際に、前記第一の規制部に当接することが可能で、前記カートリッジが前記長手方向の一方へ移動するのが規制される第一の被規制部と、
前記カートリッジが前記支持部材に装着された際に、前記第二の規制部に当接することが可能で、前記カートリッジが前記長手方向の他方へ移動するのが規制される第二の被規制部と、
を有し
前記長手方向に関して、前記第一の被規制部及び前記第二の被規制部は前記カートリッジの一端部側で且つ画像形成領域の外側に配置されていることを特徴とする。
（３）支持部材の代表的な構成として、 カートリッジを支持して前記カートリッジの長手方向と交差する方向へ移動可能で、画像形成装置の装置本体の内側に位置する内側位置と、前記カートリッジを着脱可能にするため前記装置本体の外側に位置する外側位置を取り得る支持部材であって、
前記支持部材に装着された前記カートリッジが当接することが可能で、前記カートリッジが前記長手方向の一方へ移動するのを規制する第一の規制部と、
前記支持部材に装着された前記カートリッジが当接して、前記カートリッジが前記長手方向の他方へ移動するのを規制する第二の規制部と、
を有し、
前記長手方向に関して、前記第一の規制部及び前記第二の規制部は前記支持部材の一端部側で且つ画像形成領域の外側に配置されていることを特徴とする。
（４）支持部材の他の代表的な構成として、 カートリッジを支持して前記カートリッジの長手方向と交差する方向へ移動可能で、画像形成装置の装置本体の内側に位置する内側位置と、前記カートリッジを着脱可能にするため前記装置本体の外側に位置する外側位置を取り得る支持部材であって、
前記装置本体に設けられた第三の規制部に当接することで、前記支持部材が前記長手方向の一方へ移動するのを規制される第三の被規制部と、
前記装置本体に設けられた第四の規制部に当接することで、前記支持部材が前記長手方向の他方へ移動するのを規制される第四の被規制部と、
を有し、
前記長手方向に関して、前記長手方向に関して、前記第三の被規制部及び前記第四の被規制部は前記支持部材の一端部側で且つ画像形成領域の外側に配置されていることを特徴とする。
【手続補正５】
【補正対象書類名】明細書
【補正対象項目名】００２４
【補正方法】変更
【補正の内容】
【００２４】
ここで、本実施例における画像形成装置１に関して、前ドア（開閉部材）３を設けた側を正面（前面）、正面と反対側を背面（後面）とする。画像形成装置１を正面から見て左側で画像形成領域の外側を一端側（一端部側）とする。画像形成装置１を正面から見て右側で画像形成領域の外側を他端側（他端部側）とする。本実施例においては、上記の一端側を非駆動側、他端側を駆動側としている。前方向とは背面側から正面側に向かう方向、後方向とは正面側から背面側に向かう方向である。上下とは重力方向において上または下である。 
【手続補正６】
【補正対象書類名】明細書
【補正対象項目名】００８９
【補正方法】変更
【補正の内容】
【００８９】
図５、図８、図９の（ａ）に示すように、カートリッジＰＫの非駆動側カートリッジカバー部材２５には、長手方向一端側を向いた第一カートリッジ位置決め面（第一カートリッジ位置決め部：第一の被規制部）２５ｂが設けられている。また、非駆動側カートリッジカバー部材２５から長手方向に垂直な方向（図７中矢印Ｄ２方向）に突出する突起部２５ｄに、長手方向他端側を向いた第二カートリッジ位置決め面（第二カートリッジ位置決め部：第二の被規制部）２５ｃが設けられている。 
【手続補正７】
【補正対象書類名】明細書
【補正対象項目名】００９０
【補正方法】変更
【補正の内容】
【００９０】
また、トレイ１０の長手方向一端側には、装着部１０ａの内面に長手方向他端側を向いた第一カートリッジ被位置決め面（第一カートリッジ被位置決め部：第一の規制部）１０ｂが設けられている。同じく、トレイ１０の長手方向一端側には、長手方向に垂直な方向（図７中矢印Ｄ２方向）に凹む凹部１０ｇに、長手方向一端側を向いた第二カートリッジ被位置決め面（第二カートリッジ被位置決め部：第二の規制部）１０ｃが設けられている。 
【手続補正８】
【補正対象書類名】明細書
【補正対象項目名】００９３
【補正方法】変更
【補正の内容】
【００９３】
図９の（ｂ）に示すように、トレイ１０の長手方向一端側には、長手方向一端側を向いた第一トレイ位置決め面（第一支持部材位置決め部：第三の被規制部）１０ｄが設けられている。同じく、トレイ１０の長手方向一端側には、長手方向他端側を向いた第二トレイ位置決め面（第二支持部材位置決め部：第四の被規制部）１０ｅが設けられている。 
【手続補正９】
【補正対象書類名】明細書
【補正対象項目名】００９４
【補正方法】変更
【補正の内容】
【００９４】
また、装置本体２内の、長手方向一端側に配置される非駆動側本体フレーム３３には、長手方向他端側を向いた第一トレイ被位置決め面（第一支持部材被位置決め部：第三の規制部）３３ａが設けられる。また、非駆動側本体フレーム３３に備えられる非駆動側ガイド部材３４には、長手方向一端側を向いた第二トレイ被位置決め面（第二支持部材被位置決め部：第四の規制部）３４ａが設けられている。